(57)【要約】【課題】  音声パケットの伝送特性（伝送品質）の測定対象となるＩＰ電話網上に、ＮＡＴ／ファイアウォールが存在する場合にも、音声パケットの伝送品質を測定することができると共に、伝送品質の測定精度の向上が図れる、パケット伝送品質測定装置を提供する。【解決手段】  ＩＰ電話網１にパケット伝送品質測定装置１０１、１０２を配置し、パケット伝送品質測定装置１０１から対向する他のパケット伝送品質測定装置１０２へ呼接続を行い、パケット伝送品質測定装置１０１から伝送品質測定装置１０２へ、音声パケットと同じヘッダを有する測定パケットを送出する。そして、対向するパケット伝送品質測定装置１０２から送り返されてくる測定パケットを受信し、この送り返された測定パケットを基に、音声パケットの伝送品質を算出する。【選択図】  図１
2005269170.tif 000002
【特許請求の範囲】
【請求項１】
ＩＰ電話網に複数配置され、ＩＰ電話網における音声パケットの伝送品質を測定するパケット伝送品質測定装置であって、
対向するパケット伝送品質測定装置への発呼、および対向するパケット伝送品質測定装置からの着呼処理を行う呼処理部と、
対向するパケット伝送品質測定装置へ、音声パケットに擬似する測定パケットを送出する測定パケット送信部と、
対向するパケット伝送品質測定装置からの測定パケットを受信後、音声パケットの伝送品質の計算に必要な情報を付加して、対向するパケット伝送品質測定装置へ送り返す測定パケット応答部と、
対向するパケット伝送品質測定装置の測定パケット応答部から送り返された測定パケットを受信する測定パケット受信部と、
前記測定パケット受信部で受信した測定パケットを基に、音声パケットの伝送品質を算出する品質情報計算部と
を備えることを特徴とするパケット伝送品質測定装置。
【請求項２】
実呼である音声パケットを取得するパケットキャプチャー部と、
他のパケット伝送品質測定装置が取得した同じ実呼である音声パケットの情報を受信し、自身が取得した実呼である音声パケットと比較して、前記他のパケット伝送品質測定装置との間の音声パケットの伝送品質を算出するパケット比較部と
を備えることを特徴とする請求項１に記載のパケット伝送品質測定装置。
【請求項３】
擬似的なＩＰ電話として発呼し、他のＩＰ電話と呼接続する発呼部と、
擬似的なＩＰ電話として、音声パケットに擬似する測定用のダミーパケットを前記他のＩＰ電話に送信するダミーパケット送信部と、
前記ダミーパケット送信部からＩＰ電話網に送出されたダミーパケットを取得するパケットキャプチャー部と、
他のパケット伝送品質測定装置が取得した前記ダミーパケットの情報を受信し、自身が取得したダミーパケットと比較して、前記他のパケット伝送品質測定装置との間の音声パケットの伝送品質を算出するパケット比較部と
を備えることを特徴とする請求項１または請求項２に記載の記載のパケット伝送品質測定装置。
【請求項４】
ＩＰ電話網に複数配置され、ＩＰ電話網における音声パケットの伝送品質を測定するパケット伝送品質測定装置におけるパケット伝送品質測定方法であって、
対向するパケット伝送品質測定装置への発呼、および対向するパケット伝送品質測定装置からの着呼処理を行う呼処理手順と、
対向するパケット伝送品質測定装置へ、音声パケットに擬似する測定パケットを送出する測定パケット送信手順と、
対向するパケット伝送品質測定装置からの測定パケットを受信後、音声パケットの伝送品質の計算に必要な情報を付加して、対向するパケット伝送品質測定装置へ送り返す測定パケット応答手順と、
対向するパケット伝送品質測定装置における測定パケット応答手順により送り返された測定パケットを受信する測定パケット受信手順と、
前記測定パケット受信手順により受信した測定パケットを基に、音声パケットの伝送品質を算出する品質情報計算手順と
を含むことを特徴とするパケット伝送品質測定方法。
【請求項５】
ＩＰ電話網に複数配置され、ＩＰ電話網における音声パケットの伝送品質を測定するパケット伝送品質測定装置内のコンピュータに、
対向するパケット伝送品質測定装置への発呼、および対向するパケット伝送品質測定装置からの着呼処理を行う呼処理手順と、
対向するパケット伝送品質測定装置へ、音声パケットに擬似する測定パケットを送出する測定パケット送信手順と、
対向するパケット伝送品質測定装置からの測定パケットを受信後、音声パケットの伝送品質の計算に必要な情報を付加して、対向するパケット伝送品質測定装置へ送り返す測定パケット応答手順と、
対向するパケット伝送品質測定装置における測定パケット応答手順により送り返された測定パケットを受信する測定パケット受信手順と、
前記測定パケット受信手順により受信した測定パケットを基に、音声パケットの伝送品質を算出する品質情報計算手順と
を実行させるためのプログラム。
【発明の詳細な説明】
【技術分野】
【０００１】
本発明は、パケット伝送品質測定装置、パケット伝送品質測定方法、及びプログラムに関し、特にＩＰ電話網にＮＡＴ／ファイアウォールが存在する場合にも、音声パケットの伝送特性（伝送品質）を効果的に測定できる、パケット伝送品質測定装置、パケット伝送品質測定方法、及びプログラムに関する。
【背景技術】
【０００２】
従来の測定方式としては、ＩＴＵ−Ｔ勧告Ｇ．１０７（Ｅ・ｍｏｄｅｌ）に基づき、ネットワークの品質に起因する総合音声伝送品質を測定する場合、端末特性等はＩＴＵ−Ｔ勧告Ｇ．１０７に基づく既定値を使用し、ネットワーク上を流れるパケットの特性を測定することによって、Ｒ値を算出する(例えば、非特許文献１参照)。
【０００３】
現在はネットワーク上のパケットの特性を測定する方法として、「アクティブ測定方式」と「パッシブ測定方式」の２種類の方式が用いられている。
【０００４】
図８は、アクティブ測定方式について説明するための図である。
アクティブ測定方式では、一端のアクティブパケット測定器３０１からもう一端のアクティブパケット測定器３０２へ音声パケットを擬似したパケットを送出し、到着時のパケットの特性を見て、ＩＰ電話網１の音声伝送品質を算出する方式である。
【０００５】
図９は、パッシブ測定方式について説明するための図である。
ＩＰ電話３１とＩＰ電話３２間の実呼の音声パケット（通話パケット）を、パッシブパケット測定器４０１とパッシブパケット測定器４０２で捕捉し、その特性からＩＰ電話網１の音声伝送品質を算出する方式である。
【０００６】
図１０は、従来のアクティブ測定方式の問題点を説明するための図である。
アクティブ測定方式では、アクティブパケット測定器３０１から送出したパケットは、ＮＡＴ（Native Adoress Translator：アドレス変換器）でアドレス変換ができないためにＮＡＴ／ファイアウォールを越えることができず、パケットが破棄されてしまうため、アクティブパケット測定器３０２にパケットが届かない。
【０００７】
このため、ＮＡＴ／ファイアウォールを導入しているネットワークではＩＰ電話の音声伝送品質はＮＡＴ／ファイアウォールによってアドレス変換がなされる手前までしか測定できない。
【０００８】
また線路上にファイアウォールがあった場合、許可されていないために測定パケットが攻撃であるとみなされ、ファイアウォールで破棄されてしまい、やはり測定できない。これらの問題を解決するために、従来は対向する全てのパケット測定器に対して、ＮＡＴ／ファイアウォールでは固定的に外部から内部へのアドレス変換の手法を用い、ファイアウォールでは全パケット測定器からの測定パケットの通過を許可する設定をしていた。しかしこの解決方法では、測定ポイントが増えるとそのたびにＮＡＴ／ファイアウォールの設定を変更しなければならず、また、ボート(電子回路基板)を複数のパケット測定器に対して開放するので、セキュリティ面において非常に危険である。
【０００９】
パッシブ測定方式ではこのような問題は発生しないが、測定が実呼の存在に依存するため、監視を目的として一定間隔で測定を行なうことができず、常時監視を目的として一定時間ごとの品質を測定するシステムでは使用できない。
【非特許文献１】ＩＴＵ−Ｔ勧告G.107 “The E-model,a computational model for use in transmission planning”
【発明の開示】
【発明が解決しようとする課題】
【００１０】
本発明はこのような問題を解決するためになされたもので、その目的は、音声パケットの伝送特性（伝送品質）の測定対象となるＩＰ電話網上に、ＮＡＴ／ファイアウォールが存在する場合にも、音声パケットの伝送品質を測定することができるとともに、伝送品質の測定精度の向上が図れる、パケット伝送品質測定装置、パケット伝送品質測定方法、及びプログラムを提供することにある。
【課題を解決するための手段】
【００１１】
本発明は、上記課題を解決するためになされたものであり、本発明のパケット伝送品質測定装置は、ＩＰ電話網に複数配置され、ＩＰ電話網における音声パケットの伝送品質を測定するパケット伝送品質測定装置であって、対向するパケット伝送品質測定装置への発呼、および対向するパケット伝送品質測定装置からの着呼処理を行う呼処理部と、対向するパケット伝送品質測定装置へ、音声パケットに擬似する測定パケットを送出する測定パケット送信部と、対向するパケット伝送品質測定装置からの測定パケットを受信後、音声パケットの伝送品質の計算に必要な情報を付加して、対向するパケット伝送品質測定装置へ送り返す測定パケット応答部と、対向するパケット伝送品質測定装置の測定パケット応答部から送り返された測定パケットを受信する測定パケット受信部と、前記測定パケット受信部で受信した測定パケットを基に、音声パケットの伝送品質を算出する品質情報計算部とを備えることを特徴とする。
これにより、ＩＰ電話網の経路途中にＮＡＴ／ファイアウォールがある場合でも、パケット伝送品質測定装置にＩＰ電話と同様の発呼処理を行なわせることで、アクティブ測定方式による音声パケットの伝送品質の測定が行えるようになる。
また、音声パケットと同じヘッダを有する測定パケットを送信することによって、測定精度を向上することができる（従来の測定パケットでは、通話に用いられるＩＰパケットの通信が優先され、その他のパケットは後回しにされてしまい、パケット受信タイミング、パケット受信間隔、パケット受信順序が本来とは異なってしまい、測定精度が低下してしまうことがあった）。
またさらに、パケット伝送品質測定装置自身をＩＰ電話であるとＮＡＴ／ファイアウォールに認識させた上で測定パケットを通すことにより、より末端のＩＰ電話に近いところからのEnd-to-End測定ができ、測定精度が向上する。
【００１２】
また、本発明のパケット伝送品質測定装置は、実呼である音声パケットを取得するパケットキャプチャー部と、他のパケット伝送品質測定装置が取得した同じ実呼である音声パケットの情報を受信し、自身が取得した実呼である音声パケットと比較して、前記他のパケット伝送品質測定装置との間の音声パケットの伝送品質を算出するパケット比較部とを備えることを特徴とする。
これにより、アクティブ測定方式とパッシブ測定方式を選択使用できる。また、パケット（実呼）を捕捉できる場合には、測定するためのパケットをわざわざネットワーク上に送出しなくて済むので、パケット測定によるネットワークに係る負荷を軽減できる。
【００１３】
また、本発明のパケット伝送品質測定装置は、擬似的なＩＰ電話として発呼し、他のＩＰ電話と呼接続する発呼部と、擬似的なＩＰ電話として、音声パケットに擬似する測定用のダミーパケットを前記他のＩＰ電話に送信するダミーパケット送信部と、前記ダミーパケット送信部からＩＰ電話網に送出されたダミーパケットを取得するパケットキャプチャー部と、他のパケット伝送品質測定装置が取得した前記ダミーパケットの情報を受信し、自身が取得したダミーパケットと比較して、前記他のパケット伝送品質測定装置との間の音声パケットの伝送品質を算出するパケット比較部とを備えることを特徴とする。
これにより、パケット（実呼）がない場合にも、ダミーパケットによるパッシブ測定を行うことができる。
【００１４】
また、本発明のパケット伝送品質測定方法は、ＩＰ電話網に複数配置され、ＩＰ電話網における音声パケットの伝送品質を測定するパケット伝送品質測定装置におけるパケット伝送品質測定方法であって、対向するパケット伝送品質測定装置への発呼、および対向するパケット伝送品質測定装置からの着呼処理を行う呼処理手順と、対向するパケット伝送品質測定装置へ、音声パケットに擬似する測定パケットを送出する測定パケット送信手順と、対向するパケット伝送品質測定装置からの測定パケットを受信後、音声パケットの伝送品質の計算に必要な情報を付加して、対向するパケット伝送品質測定装置へ送り返す測定パケット応答手順と、対向するパケット伝送品質測定装置における測定パケット応答手順により送り返された測定パケットを受信する測定パケット受信手順と、前記測定パケット受信手順により受信した測定パケットを基に、音声パケットの伝送品質を算出する品質情報計算手順とを含むことを特徴とする。
これにより、ＩＰ電話網の経路途中にＮＡＴ／ファイアウォールがある場合でも、パケット伝送品質測定装置にＩＰ電話と同様の発呼処理を行なわせることで、アクティブ測定方式による音声パケットの伝送品質の測定が行えるようになる。
また、音声パケットと同じヘッダを有する測定パケットを送信することによって、測定精度を向上することができる（従来の測定パケットでは、通話に用いられるＩＰパケットの通信が優先され、その他のパケットは後回しにされてしまい、パケット受信タイミング、パケット受信間隔、パケット受信順序が本来とは異なってしまい、測定精度が低下してしまうことがあった）。
またさらに、パケット伝送品質測定装置自身をＩＰ電話であるとＮＡＴ／ファイアウォールに認識させた上で測定パケットを通すことにより、より末端のＩＰ電話に近いところからのEnd-to-End測定ができ、測定精度が向上する。
【００１５】
また、本発明のコンピュータプログラムは、ＩＰ電話網に複数配置され、ＩＰ電話網における音声パケットの伝送品質を測定するパケット伝送品質測定装置内のコンピュータに、対向するパケット伝送品質測定装置への発呼、および対向するパケット伝送品質測定装置からの着呼処理を行う呼処理手順と、対向するパケット伝送品質測定装置へ、音声パケットに擬似する測定パケットを送出する測定パケット送信手順と、対向するパケット伝送品質測定装置からの測定パケットを受信後、音声パケットの伝送品質の計算に必要な情報を付加して、対向するパケット伝送品質測定装置へ送り返す測定パケット応答手順と、対向するパケット伝送品質測定装置における測定パケット応答手順により送り返された測定パケットを受信する測定パケット受信手順と、前記測定パケット受信手順により受信した測定パケットを基に、音声パケットの伝送品質を算出する品質情報計算手順とを実行させるためのプログラムである。
【発明の効果】
【００１６】
本発明のパケット伝送品質測定装置においては、ＩＰ電話網にパケット伝送品質測定装置を２台以上配置し、１つのパケット伝送品質測定装置から対向する他のパケット伝送品質測定装置へ呼接続を行い、対向する他のパケット伝送品質測定装置へ、音声パケットと同じヘッダを有する測定パケットを送出する。そして、対向するパケット伝送品質測定装置から送り返されてくる測定パケットを受信し、この送り返された測定パケットを基に、音声パケットの伝送品質を算出する。
これにより、ＩＰ電話網の経路途中にＮＡＴ／ファイアウォールがある場合でも、パケット伝送品質測定装置にＩＰ電話と同様の発呼処理を行なわせることで、アクティブ測定方式による音声パケットの伝送品質の測定が行えるようになる。
また、音声パケットと同じヘッダを有する測定パケットを送信することによって、測定精度を向上することができる（従来の測定パケットでは、通話に用いられるＩＰパケットの通信が優先され、その他のパケットは後回しにされてしまい、パケット受信タイミング、パケット受信間隔、パケット受信順序が本来とは異なってしまい、測定精度が低下してしまうことがあった）。
またさらに、パケット伝送品質測定装置自身をＩＰ電話であるとＮＡＴ／ファイアウォールに認識させた上で測定パケットを通すことにより、より末端のＩＰ電話に近いところからのEnd-to-End測定ができ、測定精度が向上する。
【００１７】
また、本発明のパケット伝送品質測定装置においては、アクティブ測定方式のパケット測定を行う他に、２台のパケット伝送品質測定装置により同じ音声パケット（実呼）を捕捉し、その捕捉した音声パケットをいずれかの測定器において比較することによって、音声パケットの伝送品質を測定する。
これにより、アクティブ測定方式とパッシブ測定方式を選択使用できる。また、パケット（実呼）を捕捉できる場合には、測定するためのパケットをわざわざネットワーク上に送出しなくて済むので、パケット測定によるネットワークに係る負荷を軽減できる。
【００１８】
また、本発明のパケット伝送品質測定装置においては、アクティブ測定方式のパケット測定を行う他に、２台のパケット伝送品質測定装置により同じ音声パケット（実呼）を捕捉し、その捕捉した音声パケットをいずれかの測定器において比較することによって、音声パケットの伝送品質を測定する。また、パケット（実呼）を捕捉できない場合には、パケット伝送品質測定装置は擬似的なＩＰ電話として発呼し、他のＩＰ電話と呼接続し、音声パケットと同じヘッダを有するダミーパケット（測定パケット）を、他のＩＰ電話に送信する。そして、ＩＰ電話網に送出されたダミーパケットを自身が取得すると共に、他のパケット伝送品質測定装置が取得したダミーパケットの情報を受信し、自身が取得したダミーパケットと比較して音声パケットの伝送品質を算出する。
これにより、パケット（実呼）がない場合にも、ダミーパケットによるパッシブ測定を行うことができる。
【００１９】
本発明のパケット伝送品質測定方法においては、ＩＰ電話網にパケット伝送品質測定装置を２台以上配置し、１つのパケット伝送品質測定装置から対向する他のパケット伝送品質測定装置へ呼接続を行い、対向する他のパケット伝送品質測定装置へ、音声パケットと同じヘッダを有する測定パケットを送出する。そして、対向するパケット伝送品質測定装置から送り返されてくる測定パケットを受信し、送り返された測定パケットを基に、音声パケットの伝送品質を算出する。
これにより、ＩＰ電話網の経路途中にＮＡＴ／ファイアウォールがある場合でも、パケット伝送品質測定装置にＩＰ電話と同様の発呼処理を行なわせることで、アクティブ測定方式による音声パケットの伝送品質の測定が行えるようになる。
また、音声パケットと同じヘッダを有する測定パケットを送信することによって、測定精度を向上することができる（従来の測定パケットでは、通話に用いられるＩＰパケットの通信が優先され、その他のパケットは後回しにされてしまい、パケット受信タイミング、パケット受信間隔、パケット受信順序が本来とは異なってしまい、測定精度が低下してしまうことがあった）。
またさらに、パケット伝送品質測定装置自身をＩＰ電話であるとＮＡＴ／ファイアウォールに認識させた上で測定パケットを通すことにより、より末端のＩＰ電話に近いところからのEnd-to-End測定ができ、測定精度が向上する。
【発明を実施するための最良の形態】
【００２０】
次に本発明を実施するための最良の形態について図面を参照して説明する。
【００２１】
図１は、本発明によるパケット伝送品質測定装置（単に「パケット測定器」ともいう）を使用した測定システムの構成例を示す図である。本発明のパケット測定器では、既にあるＩＰ電話網を利用し、対向するパケット測定器に対して音声パケットに見立てた発呼処理を行なうことで、ＩＰ電話対応のＮＡＴ／ファイアウォールを越えて音声パケットの伝送品質を測定することができる。
【００２２】
図１において、パケット測定器１０１、１０２は、本発明による音声パケットの伝送品質を測定する一対のパケット伝送品質測定装置であり、同じ構成のものである。パケット測定器１０１からパケット測定器１０２へ、また、パケット測定器１０２からパケット測定器１０１へ発呼し、ＩＰ電話網１における音声パケットの伝送品質の測定を行う。
【００２３】
ＩＰ電話対応ＮＡＴ／ファイアウォール２１、２２は、ＩＰ電話３１、３２の呼を疎通することのできるＮＡＴ／ファイアウォールである。ＩＰ電話交換機４１は、ＩＰ電話の呼処理を行なうＩＰ電話交換機である。この装置は、既に設置されているＩＰ電話網のものである。
【００２４】
このような構成により、本発明のパケット測定器１０１、１０２を用いたアクティブ測定を行う場合には、パケット測定器１０１から発呼するパケットを、「パケット測定器１０１→ルータ１１→ＮＡＴ／ファイアウォール２１→ＩＰ電話網１→ＮＡＴ／ファイアウォール２２→ルータ１２→パケット測定器１０２」の経路で通すために、パケット測定器１０１ではＩＰ電話と同様の発呼処理を行う。この発呼処理には、図４に示すように、ＲＴＰヘッダ（ＩＰ電話用のヘッダ）と、内部情報（パケット送信時刻、その他の測定用の情報）とで構成される測定パケットが使用される。
【００２５】
これにより、パケット測定器１０１は、ＩＰ電話対応のＮＡＴ／ファイアウォール２１、２２に、測定パケットを音声パケットと認識させて、対地のパケット測定器１０２に到達させる。また、同様にして、パケット測定器１０２は、ＩＰ電話対応のＮＡＴ／ファイアウォール２１、２２に、測定パケットを音声パケットと認識させて、対地のパケット測定器１０１に到達させる。
【００２６】
このようにして、ＩＰ電話が疎通する環境であれば、ＮＡＴ／ファイアウォールの有無に関係なく、音声パケットの伝送品質（伝送品質）の測定が可能となる。
【００２７】
なお、図１では、パケット測定器１０１、１０２が２台のみ設置された例を示しているが、実際には、ＩＰ電話網１の各所に複数台設置し、所望の区間の伝送品質を測定できるようにする。
【００２８】
図２は、本発明によるパケット測定器の構成例を示すブロック図である。
図２に示すパケット測定器（パケット伝送品質測定装置）において、呼処理部１１１及び測定パケット送信部１１３が測定パケットの送出機能であり、測定パケット受信部１１５および測定パケット応答部１１８がパケット測定機能である。
【００２９】
呼処理部１１１は、対向するパケット測定器１０２への発呼、および対向するパケット測定器１０２からの着呼処理を行なう。また、呼処理部１１１には、発着呼リストデータベース１１２が接続され、発着呼リストデータベース１１２内の発呼リスト１１２ａは、発呼先のパケット測定器の電話番号のテーブルを記憶し、着呼許可リスト１１２ｂは、対向する相手側のパケット測定器の電話番号リストをテーブル情報として記憶している。
【００３０】
呼処理部１１１は、発呼リスト１１２ａに記憶された発呼リスト以外への発呼を行わず、着呼許可リスト１１２ｂに登録された発呼以外からの着呼を規制する。
【００３１】
測定パケット送信部１１３は、対向するパケット測定器１０２へ測定パケットを送出する。この場合に、測定対象および場所に応じた測定条件が記録された測定条件設定データベース１１４を参照する。この、測定条件設定データベース１１４には、測定パケットについての諸元が記憶されている。例えば、諸元には、パケットの測定間隔（○分間隔とか）、パケットの特性（測定開始時刻（○時×分△秒など）、パケット長を示す△△バイト、パケット送信間隔（○○ｍｓ）、パケットの個数などが記憶されている。この諸元の情報に基づいて測定パケットが送信される。なお、測定対象の顧客に応じて、測定する測定条件を変更するようにしてもよい。この場合、例えば、図５に示す設定条件テーブルを測定条件設定データベース１１４内に記録しておき、この設定条件テーブルを参照し、その測定条件に従って測定する。例えば、顧客に応じて、パケット測定区間、パケット測間隔、パケット測定時間帯などの条件を設定することができる。
【００３２】
測定パケット受信部１１５は、対向するパケット測定器１０２の測定パケット応答部１１８から送り返された測定パケットを受信する。品質情報計算部１１６は、測定パケット受信部１１５により受信した測定パケットの特性を計算し、品質情報を算出し、得られた情報を測定結果情報データベース１１７に記録する。
【００３３】
測定パケット応答部１１８は、対向するパケット測定器１０２からの測定パケットを受信後、品質情報計算に必要な情報を付加して対向するパケット測定器１０２へ送り返す。例えば、対向するパケット測定器のパケット送信部から送信された測定パケットに受信時刻を付加して送信元の測定器に折り返して送信する。
【００３４】
ユーザインタフェース部１１９は、ユーザと対話し、このパケット測定器１０１の起動、停止、設定変更を行なう。
【００３５】
また、図３は、図２に示す各機能部間における処理シーケンスを示す図であり、ＳＩＰプロトコルを用いた例を示すものである。以下、図３を参照して、その処理の流れについて説明する。
【００３６】
パケット測定器１０１が起動時されると、対向するパケット測定器１０２に呼接続処理を開始する。最初に、呼処理部（発側）１１１からＩＮＶＩＴＥリクエスト信号（セッション確立要求信号）をＩＰ電話交換機４１に送信する（矢付線Ｓ１）。ＩＰ電話交換機４１は受信したＩＮＶＩＴＥリクエスト信号をＮＡＴ／ファイアウォール２２に送信する（矢付線Ｓ２）。ＮＡＴ／ファイアウォール２２は受信したＩＮＶＩＴＥリクエスト信号を、パケット測定器１０２の呼処理部（着側）１１１ａに送信する（矢付線Ｓ３）。また、ＩＰ電話交換機４１は呼処理部（発側）１１１にＴｒｙｉｎｇ信号（応答）を返す（矢付線Ｓ４）。
【００３７】
対向するパケット測定器１０２の呼処理部（着側）１１１ａは、ＩＮＶＩＴＥリクエスト信号を受信すると、２００ＯＫ信号（ステータスコード）を、ＮＡＴ／ファイアウォール２２に送信する（矢付線Ｓ５）。ＮＡＴ／ファイアウォール２２は受信した２００ＯＫ信号をＩＰ電話交換機４１に送信する（矢付線Ｓ６）。ＩＰ電話交換機４１は２００ＯＫ信号を、パケット測定器１０１の呼処理部（発側）１１１に送信する（矢付線Ｓ７）。
【００３８】
２００ＯＫ信号を受信した呼処理部（発側）１１１は、ＡＣＫ信号（確認応答信号）をＩＰ電話交換機４１に送信する（矢付線Ｓ８）。ＩＰ電話交換機４１は、受信したＡＣＫ信号をＮＡＴ／ファイアウォール２２に送信し（矢付線Ｓ９）、ＮＡＴ／ファイアウォール２２はＡＣＫ信号を呼処理部（着側）１１１ａに送信する（矢付線Ｓ１０）。これにより、呼接続処理が完了する。
【００３９】
呼接続が完了すると、パケット測定器１０１の測定パケット送信部１１３から対向するパケット測定器１０２に、測定パケットを送信する（矢付線Ｓ１１、Ｓ１２）。
【００４０】
対向するパケット測定器１０２の測定パケット応答部（着側）１１８ａは、測定パケットを受信すると、受信時刻の情報などを付加して、パケット測定器１０１の測定パケット受信部（発側）１１５に折り返して送信する（矢付線Ｓ１３、Ｓ１４）。パケット測定器１０１では、品質情報計算部１１６により、送信した測定パケットと、折り返された測定パケットとを比較して、伝送品質を測定する。
なお、上述した測定処理は、対向するパケット測定器の数だけ繰り返される。
【００４１】
パケット測定器１０１とパケット測定器１０２は通常は常時接続されており、定期的に伝送品質の測定を継続しているが、パケット測定器のメンテナンス等の時は、セッションの切断処理を行う。この切断処理は、パケット測定器１０１の呼処理部（発側）１１１の呼処理部（発側）１１１から、ＢＹＥ信号（切断要求信号）をＩＰ電話交換機４１に送信し（矢付線Ｓ２１）、ＩＰ電話交換機４１は受信したＢＹＥ信号をＮＡＴ／ファイアウォール２２に送信し（矢付線Ｓ２２）、ＮＡＴ／ファイアウォール２２は受信したＢＹＥ信号を対向するパケット測定器１０２の呼処理部（着側）１１１ａに送信する（矢付線ａ２３）。
【００４２】
ＢＹＥ信号を受信した呼処理部（着側）１１１ａは、２００ＯＫ信号をＮＡＴ／ファイアウォール２２に送信し（矢付線Ｓ２４）、ＮＡＴ／ファイアウォール２２は受信したＢＹＥ信号をＩＰ電話交換機４１に送信する（矢付線Ｓ２５）、ＩＰ電話交換機４１は受信したＢＹＥ信号をパケット測定器１０１の呼処理部（発側）１１１に送信する（矢付線Ｓ２６）。これにより、切断処理が完了する。
【００４３】
なお、前述したようにパケット測定器１０１とパケット測定器１０２は常時接続を基本とするが、何らかの理由で一旦切断された場合は、パケット測定器１０１は測定開始時刻になると、再度呼接続処理を開始する。
【００４４】
以上説明した実施の形態では、アクティブ測定方式により伝送品質を測定するパケット測定器の例を示したが、本発明はこれに限らず、パッシブ測定方式を併用した構成とすることができる。
【００４５】
図６は、本発明によるパケット伝送品質測定装置（単に「パケット測定器」ともいう）を使用した測定システムの第２の構成例を示す図であり、２０１および２０２はアクティブ測定方式とパッシブ測定方式を併用したパケット測定器を示しており、他の符号のものは、図１と同様である。
【００４６】
図６に示す例では、ＩＰ電話３１とＩＰ電話３２との通話に利用している音声パケット（実呼）を、パケット測定器２０１とパケット測定器２０２が、それぞれ同じ音声パケットＡ（実呼）を捕捉し、その捕捉した音声パケットＡをいずれかのパケット測定器において比較することによって、音声パケットの伝送品質を測定する。
【００４７】
これにより、テスト用に使用する帯域を有効に使用（実呼に利用）できる。すなわち、測定するためのパケットをわざわざネットワーク上に送出しなくて済むので、ネットワークに係る負荷を軽減できる。
【００４８】
また、ＩＰ電話網上にパケット（実呼）が流れておらず、パケット（実呼）をＩＰ電話網から捕捉できない場合には、例えば、パケット測定器２０１が、擬似的なＩＰ電話として発呼しＩＰ電話３２と呼接続し、パケット測定器２０１からＩＰ電話３２に、音声パケットと同じヘッダを有するダミーパケットを送信する。
【００４９】
そして、パケット測定器２０１とパケット測定器２０２が、それぞれ同じダミーパケットを捕捉し、その捕捉したダミーパケットをいずれかのパケット測定器において比較することによって、音声パケットの伝送品質を測定する。
【００５０】
また、図７は、アクティブ測定方式およびパッシブ測定方式併用型のパケット測定器の構成例を示す図である。図７に示すパケット測定器２０１は、図２に示すアクティブ測定方式のパケット測定器１０１に、パッシブ測定機能部２１０を付加したものである。
【００５１】
パッシブ測定機能部２１０内の発呼部２１１は、擬似的なＩＰ電話として発呼し、他のＩＰ電話と呼接続する。ダミーパケット送信部２１２は、擬似的なＩＰ電話として、音声パケットと同じヘッダを有するダミーパケット（測定パケット）をＩＰ電話網に送信する。
【００５２】
パケットキャプチャー部２１３は、ＩＰ電話網上の実呼の音声パケット、またはダミーパケット送信部２１２から送出されたダミーパケットを取得する。
【００５３】
パケット比較部２１４は、他のパケット測定器２０２が取得した実呼の音声パケットの情報、またはダミーパケットの情報を受信し、パケット測定器２０１自身が取得したパケットと、他のパケット測定器２０２が取得したパケットを比較して、パケット測定器２０１とパケット測定器２０２との間の音声パケットの伝送品質を算出する。
【００５４】
以上、本発明の実施の形態について説明したが、パケット測定器（パケット伝送品質測定装置）は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５５】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００５６】
以上、本発明の実施の形態について説明したが、本発明のパケット測定器（パケット伝送品質測定装置）は、上述の図示例にのみ限定されるものではなく、本発明の要旨を逸脱しない範囲内において種々変更を加え得ることは勿論である。
【産業上の利用可能性】
【００５７】
本発明は、ＩＰ電話網上にＮＡＴ／ファイアウォールが存在する場合にも、音声パケットの伝送品質を測定することができるとともに、音声パケットの伝送品質の測定精度の向上が図れる効果を奏するので、本発明は、パケット伝送品質測定装置、パケット伝送品質測定方法、及びプログラムなどに有用である。
【図面の簡単な説明】
【００５８】
【図１】本発明のパケット測定器を使用した測定システムの構成例を示す図である。
【図２】本発明のパケット測定器の構成例を示すブロック図である。
【図３】図２に示す各機能部間における処理シーケンスを示す図である。
【図４】測定パケットの例を示す図である。
【図５】設定条件テーブルの例を示す図である。
【図６】本発明のパケット測定器を使用した測定システムの第２の構成例を示す図である。
【図７】アクティブ測定方式およびパッシブ測定方式併用型のパケット測定器の構成例を示す図である。
【図８】アクティブ測定方式について説明するための図である。
【図９】パッシブ測定方式について説明するための図である。
【図１０】従来のアクティブ測定方式の問題点を説明するための図である。
【符号の説明】
【００５９】
１  ＩＰ電話網
１１、１２  ルータ
２１、２２  ＮＡＴ／ファイアウォール
３１、３２  ＩＰ電話
４１、ＩＰ電話交換機
１０１、１０２  パケット測定器
１１１  呼処理部
１１２  発着呼リストデータベース
１１２ａ  発呼リスト
１１２ｂ  着呼許可リスト
１１３  測定パケット送信部
１１４  測定条件設定データベース
１１５  測定パケット受信部
１１６  品質情報計算部
１１７  測定結果情報データベース
１１８  測定パケット応答部
１１９  ユーザインタフェース部
２０１、２０２  パケット測定器
２１０  パッシブ測定機能部
２１１  発呼部
２１２  ダミーパケット送信部
２１３  パケットキャプチャー部
２１４  パケット比較部
【図１】
2005269170.tif 000003
【図２】
2005269170.tif 000004
【図３】
2005269170.tif 000005
【図４】
2005269170.tif 000006
【図５】
2005269170.tif 000007
【図６】
2005269170.tif 000008
【図７】
2005269170.tif 000009
【図８】
2005269170.tif 000010
【図９】
2005269170.tif 000011
【図１０】
2005269170.tif 000012